(57)【要約】【課題】洗剤や洗浄水等の飛散を防止しつつ洗車工程を確認でき、敷地のスペースを有効利用できるとともに機構も簡単にして安価にできる洗車装置を提供する。【解決手段】給油所の敷地１上に設けられる自動車２を収容するに十分な横幅と高さに形成され内部を見ることができる透明パネル１３を有する収容部１１と、収容部１１の内部に配置され自動車２の上部を覆う取付け枠１６に洗車ノズル１７を設けた洗車ノズル機構２３と、収納部１１の内部に立設され洗車ノズル機構２３を移動可能に支持する支持部１４と、洗車ノズル機構２３を支持部１４に沿って往復移動させるための移動手段１５と、洗車ノズル機構２３及び移動手段１５の動作を制御する洗車制御装置２０とを備える。【選択図】      図１
2004249880.tif 000002
【特許請求の範囲】
【請求項１】
給油所の敷地上に設けられる自動車を収容するに十分な横幅と高さに形成され内部を見ることができる透明パネルを有する収容部と、この収容部の内部に配置され自動車の上部を覆う取付け枠に洗車ノズルを設けた洗車ノズル機構と、前記収納部の内部に立設され前記洗車ノズル機構を移動可能に支持する支持部と、前記洗車ノズル機構を支持部に沿って往復移動させるための移動手段と、前記洗車ノズル機構及び移動手段の動作を制御する洗車制御装置とを備えたことを特徴とする洗車装置。
【請求項２】
前記洗車ノズル機構は、洗浄液と乾燥用の空気を噴射させる洗車ノズルが設けられていることを特徴とする請求項１記載の洗車装置。
【請求項３】
前記洗車ノズル機構を自動車の高さを検知するセンサにより洗車制御装置で上下に移動させる伸縮手段を設けたことを特徴とする請求項１記載の洗車装置。
【発明の詳細な説明】
【０００１】
【発明の属する技術分野】
本発明は、給油所の敷地等に設置される洗車装置に関するものである。
【０００２】
【従来の技術】
従来、給油所に設置される洗車装置は、例えば、自動車を跨ぐ門型に形成された洗車装置本体が敷地に配置されたレール上を往復走行する門型洗車装置等が一般的に使用されている。この種の門型洗車装置として、本出願人は、洗剤や洗浄水等の飛散を防止するために、洗車装置本体の走行方向の前後に伸縮する覆い体を各々設け、覆い体を伸縮する伸縮機構を設けたものを開示している（例えば、特許文献１参照。）。
【０００３】
【特許文献１】
特開平９−１０９８４４号公報
【０００４】
【発明が解決しようとする課題】
しかしながら、従来の上記門型洗車装置は、洗剤や洗浄水等の飛散を防止するための覆い体を設けているため洗浄機構が隠され、例えば、ワックス等のケミカルによって洗浄ノズルが詰まった場合に、作動状況が不良になり洗浄ムラが生じても確認できないおそれがあった。また、多くの車種に対応できるように走行方向に余裕を持ったレールを配置し、非洗車時に洗車装置本体を待機させるスペースを設けていることで、ある程度広い設置スペースを必要とし、機構も複雑になりコスト高になるおそれがあった。
【０００５】
本発明は上記事情に鑑みなされたもので、洗剤や洗浄水等の飛散を防止しつつ洗車工程を確認でき、敷地のスペースを有効利用できるとともに機構も簡単にして安価にできる洗車装置を提供することを目的とする。
【０００６】
【課題を解決するための手段】
上記目的を達成するために請求項１に記載の発明にあっては、給油所の敷地上に設けられる自動車を収容するに十分な横幅と高さに形成され内部を見ることができる透明パネルを有する収容部と、この収容部の内部に配置され自動車の上部を覆う取付け枠に洗車ノズルを設けた洗車ノズル機構と、前記収納部の内部に立設され前記洗車ノズル機構を移動可能に支持する支持部と、前記洗車ノズル機構を支持部に沿って往復移動させるための移動手段と、前記洗車ノズル機構及び移動手段の動作を制御する洗車制御装置とを備えたことを特徴とするものである。収容部が内部を見ることができる透明パネルを有するため、洗剤や洗浄水等の飛散を防止しつつ洗車工程を確認でき、また洗車ノズル機構を移動手段が往復移動させるため、敷地のスペースを有効利用できるとともに機構も簡単にして安価にできる。
【０００７】
請求項２に記載の発明にあっては、前記洗車ノズル機構は、洗浄液と乾燥用の空気を噴射させる洗車ノズルが設けられていることを特徴とするものである。自動車の洗車後の乾燥が同時に簡単にできる。
【０００８】
請求項３に記載の発明にあっては、前記洗車ノズル機構を自動車の高さを検知するセンサにより洗車制御装置で上下に移動させる伸縮手段を設けたことを特徴とするものである。収容部が内部を見ることができる透明パネルを有するため、洗剤や洗浄水等の飛散を防止しつつ洗車工程を確認でき、また洗車ノズル機構を移動手段が往復移動させ、自動車の高さに応じて伸縮手段が上下するため、敷地のスペースを有効利用できるとともに機構も簡単にして安価にできる。
【０００９】
【発明の実施の形態】
以下、本発明を図示の一実施形態により具体的に説明する。図１〜図４は本発明実第１施形態の洗車装置を説明する図であり、図１は洗車装置の平面図、図２は洗車装置の側面図、図３は洗車装置の背面図、図４は洗車装置の制御構成を説明するブロック図である。
【００１０】
これらの図において、給油所の敷地１上に設置される第１実施形態の洗車装置１０は、自動車２を収容して洗車するための収容部１１と、この収容部１１の内部に配置される洗車ノズル機構２３と、この洗車ノズル機構２３を移動可能に支持する支持部１４と、洗車ノズル機構２３を支持部１４に沿って往復移動させるための移動手段１５と、洗車ノズル機構２３及び移動手段１５を制御する洗車制御装置２０等とから構成されている。
【００１１】
収容部１１は、敷地１上に立設される左右一対の支持部１２と、これら支持部１２上に取付けられ、自動車２の上部側を覆い内部が見える、例えば、プラスチック材料等で形成される透明パネル１３とからなり、自動車２を収容するに十分な横幅と高さを有し、入口側と出口側が開口された部屋状に形成されているものである。
【００１２】
収容部１１の内部に配置される洗車ノズル機構２３は、例えば、洗剤や洗浄液あるいは乾燥のための空気を噴射する複数の洗車ノズル１７設けた取付け枠１６等を有し、制御弁等を介して所定の供給源から送られる洗剤、洗浄液、空気を洗車ノズル１７から噴射させて自動車２を洗浄する部分である。取付け枠１６は、自動車２左右の側面側と上部側とを十分な間隔を設けて、ほぼコ字形に覆う形状に形成された枠状部材からなり、その枠状部材の自動車２に対向する左右の側面及び上部下面に複数個の洗車ノズル１７が取付けられている。
【００１３】
支持部１４は、自動車２の長手方向に沿った下向きのほぼコ字形で、角部が円滑な円弧状に形成され、その高さ及び長手方向の寸法も自動車２より十分に大きく形成された枠形で一対の同じ寸法の案内部材からなり、透明パネル１３の内面側に近い敷地１上に自動車２を左右の側面側で挟むように平行に立設されたものである。
【００１４】
移動手段１５は、洗車ノズル１７を設けた取付け枠１６を、その左右上部側において固定して、支持部１４の長手方向に沿って平行に往復移動させる手段である。すなわち、移動手段１５は、洗車ノズル機構２３を構成する複数の洗車ノズル１７設けた取付け枠１６を、支持部１４の枠形の案内部材に沿って移動可能に取付けられている。この移動手段１５は、支持部１４の上部側を移動するだけでなく、円弧状の角部を通って前部及び後部の直立部分の近傍まで移動するため、図１及び図２に示すように、前部及び後部において取付け枠１６を自動車２に向けて傾斜させ、さらに水平になるように動作させる。
【００１５】
洗車制御装置２０は、収容部１１近傍等に配置される図示しない操作部等に設けられ、洗車ノズル機構２３や移動手段１５の動作を制御する部分である。この洗車制御装置２０は、洗車工程を設定したり洗車開始や終了スイッチを設けた操作パネル２１からの信号を受信し、洗車工程等の情報を記憶部２２へ記憶し、あるいは記憶部２２から読出し、洗車工程に応じて洗車ノズル機構２３の制御弁等の開閉を制御して、洗車ノズル１７から洗剤や洗浄液あるいは乾燥のための空気を噴射させ、移動手段１５の動作を制御して取付け枠１６を支持部１４に沿って往復移動させるものである。
【００１６】
上記構成の洗車装置１０では、自動車２を収容部１１内に移動させ、操作パネル２１により洗車工程を設定し、洗車開始スイッチを押すと、洗車制御装置２０の制御のもとに記憶部２２に記憶された洗車工程に基づき、洗車ノズル機構２３を構成する複数の洗車ノズル１７から、洗剤や洗浄液が噴射されるとともに、移動手段１５が、洗車ノズル１７設けた取付け枠１６を、支持部１４の枠形の案内部材に沿って往復移動させることで、自動車２の洗浄が行われる。支持部１４は、長手方向の両端部側において角部が円滑な円弧状に形成され、移動部１５により前部及び後部の直立部分の近傍まで移動し、取付け枠１６が傾斜し、さらに水平になるように動作し、取付け枠１６に設けられた洗車ノズル１７が自動車２の垂直な前面及び後面に向けられるため、自動車２の前部及び後部の洗浄が良く行われる。また、洗剤や洗浄液による洗車が終了した後には、洗車制御装置２０の制御のもとに、制御弁を切換えて洗車ノズル１７から乾燥のための空気を噴射させて洗車を終了する。この洗車装置１０では、収納部１１が透明パネル１３を有するため、洗剤や洗浄水等の飛散が防止できるだけでなく、外部から内部の自動車２の洗浄状態を見ることができるため洗車工程を確認でき、例えば、洗浄ノズルが詰まることによる洗浄ムラを防止できる。また、自動車２の洗車状況を顧客に見せることで、洗車が良好に行われていることを知らせ、宣伝効果をあげることができる。さらに、本第１実施形態では、門型洗車装置より設置スペースを小さくでき、敷地のスペースを有効利用でき、機構も簡単になり安価にできる。
【００１７】
図５〜図８は本発明実第２施形態の洗車装置を説明する図であり、図５は洗車装置の平面図、図６は洗車装置の側面図、図７は洗車装置の背面図、図８は洗車装置の制御構成を説明するブロック図である。なお、第１実施形態に対応する部分及び部材は同一の符号を記す。
【００１８】
これらの図において、給油所の敷地１上に設置される第２実施形態の洗車装置３０は、自動車２を収容して洗車するための収容部１１と、この収容部１１の内部に配置される洗車ノズル機構４３と、この洗車ノズル機構４３を移動可能に支持する支持部３９と、洗車ノズル機構４３を支持部３９に沿って往復移動させるための移動手段３４と、洗車ノズル機構４３を上下に移動させる伸縮手段３５と、洗車ノズル機構４３、移動手段３４及び伸縮手段３５を制御する洗車制御装置４０等とから構成されている。
【００１９】
収容部１１は、第１実施形態と同様に、敷地１上に立設される左右一対の支持部１２と、これら支持部１２上に取付けられ、自動車２の上部側を覆い内部が見える、例えば、プラスチック材料等で形成される透明パネル１３とからなり、自動車２を収容するに十分な横幅と高さを有し、入口側と出口側が開口された部屋状に形成されているものである。
【００２０】
洗車ノズル機構４３は、例えば、洗剤や洗浄液あるいは乾燥のための空気を噴射する複数の洗車ノズル３７設けた取付け枠３６等を有し、制御弁等を介して供給源から送られる洗剤、洗浄液、空気を洗車ノズル３７から噴射させて自動車２を洗浄する部分である。取付け枠３６は、自動車２左右の側面側と上部側とを十分な間隔を設けて、ほぼコ字形に覆う形状に形成された枠状部材からなり、その枠状部材の自動車２に対向する左右の側面及び上部の下面に複数個の洗車ノズル３７が取付けられている。
【００２１】
支持部３９は、収容部１１内の透明パネル１３で一方の内面側に近い敷地１上に立設された、一対の同じ高さの支柱３１と、この支柱３１の上端部に一端部側が取付けられ他端部側が収容部１１の上部中央部まで水平に延出された一対の水平梁３２と、この水平梁３２の他端部に自動車２の長手方向に沿って水平に取付けられた案内部材からなる案内梁３３とから構成されている。
【００２２】
移動手段３４は、洗車ノズル３７を設けた取付け枠３６の中央部を、後に説明する伸縮手段３５を介して吊下げ、支持部３９を構成する案内梁３３の長手方向に沿って平行に往復移動させる手段である。すなわち、移動手段３４は、洗車ノズル機構４３を構成する複数の洗車ノズル３７設けた取付け枠３６を、案内梁３３に沿って移動可能に取付けられている。また、移動手段３４の下面には、自動車２の頂部までの距離を測定するセンサ３８が取付けられている。
【００２３】
伸縮手段３５は、移動手段３４と取付け枠３６の中央部との間に取付けられ、後に説明するように、自動車２の上部を移動手段３４により水平に移動するとき、洗車制御装置４０の制御のもとにセンサ３８で検知された自動車２の頂部までの距離が一定の値になるように伸縮するものである。
【００２４】
洗車制御装置４０は、収容部１１の近傍等に配置される図示しない操作部等に設けられ、洗車ノズル機構４３、移動手段３４あるいは伸縮手段３５の動作を制御する部分である。この洗車制御装置４０は、洗車工程を設定したり洗車開始や終了スイッチを設けた操作パネル４１からの信号やセンサ３８からの信号を受信し、洗車工程等の情報を記憶部４２へ記憶し、あるいは記憶部４２から読出し、洗車工程に応じて洗車ノズル機構４３の制御弁等の開閉を制御して、洗車ノズル３７から洗剤や洗浄液あるいは乾燥のための空気を噴射させ、移動手段３４の動作を制御して取付け枠３６を案内梁３３に沿って往復移動させ、かつこの移動手段３４の移動とともにセンサ３８で検出した自動車２の頂部までの信号に基づいて距離が一定になるように伸縮させるものである。
【００２５】
上記構成の洗車装置３０では、自動車２を収容部１１内に移動させ、操作パネル４１により洗車工程を設定し、洗車開始スイッチを押すと、洗車制御装置４０の制御のもとに記憶部４２に記憶された洗車工程に基づき、洗車ノズル機構４３を構成する複数の洗車ノズル３７から、洗剤や洗浄液が噴射されるとともに、移動手段３４が、洗車ノズル３７を設けた取付け枠３６を、案内梁３３の枠形の案内部材に沿って往復移動させ、センサ３８で検出した信号に基づいて伸縮手段３５により自動車２の頂部までの距離が一定になるように伸縮させることで、自動車２の洗浄が行われる。この実施形態では、伸縮手段３５が設けられ自動車２の頂部までの距離が一定になるため、洗浄が均一に良く行われる。また、洗剤や洗浄液による洗車が終了した後には、洗車制御装置４０の制御のもとに制御弁を切換えて洗車ノズル３７から乾燥のための空気を噴射させて洗車を終了する。この洗車装置３０では、第１実施形態と同様に、収納部１１が透明パネル１３を有するため、洗剤や洗浄水等の飛散が防止できるだけでなく、外部から内部の自動車２の洗浄状態を見ることができるため洗車工程を確認でき、例えば、洗浄ノズルが詰まることによる洗浄ムラを防止できる。また、自動車２の洗車状況を顧客に見せることで、洗車が良好に行われていることを知らせ、宣伝効果をあげることができる。さらに、本第１実施形態と同様に、門型洗車装置より設置スペースを小さくでき、敷地のスペースを有効利用でき、機構も簡単になり安価にできる。
【００２６】
なお、上記各実施形態において、収容部１１は、少なくとも内部が見えるように形成されていればよく、その大きさや形状は任意にでき実施形態に限定されない。また、移動手段１５，３４による移動距離、あるいは伸縮手段３５による伸縮距離は自動車２の大きさに応じて任意にできる。
【００２７】
【発明の効果】
以上説明したように本発明の洗車装置では、給油所の敷地上に設けられる自動車を収容するに十分な横幅と高さに形成され内部を見ることができる透明パネルを有する収容部と、収容部の内部に配置され自動車の上部を覆う取付け枠に洗車ノズル設けた洗車ノズル機構と、収納部の内部に立設され洗車ノズル機構を移動可能に支持する支持部と、洗車ノズル機構を支持部に沿って往復移動させるための移動手段と、洗車ノズル機構及び移動手段の動作を制御する洗車制御装置とを備えたことで、洗剤や洗浄水等の飛散を防止しつつ洗車工程を確認でき、また洗車ノズル機構を移動手段が往復移動させるため、敷地のスペースを有効利用できるとともに機構も簡単にして安価にできる。
【００２８】
また、本発明の他の洗車装置では、給油所の敷地上に設けられる自動車を収容するに十分な横幅と高さに形成され内部を見ることができる透明パネルを有する収容部と、収容部の内部に配置され自動車の上部を覆う取付け枠に洗車ノズル設けた洗車ノズル機構と、収納部の内部に立設され洗車ノズル機構を移動可能に支持する支持部と、洗車ノズル機構を支持部に沿って往復移動させるための移動手段と、洗車ノズル機構を自動車の高さを検知するセンサにより上下に移動させる伸縮手段と、洗車ノズル機構、移動手段及び伸縮手段を制御する洗車制御装置とを備えたことで、洗剤や洗浄水等の飛散を防止しつつ洗車工程を確認でき、また洗車ノズル機構を移動手段が往復移動させ、自動車の高さに応じて伸縮手段が上下するため、敷地のスペースを有効利用できるとともに機構も簡単にして安価にできる。
【図面の簡単な説明】
【図１】本発明第１実施形態の洗車装置である。
【図２】本発明第１実施形態の洗車装置の側面図である。
【図３】本発明第１実施形態の洗車装置の背面図である。
【図４】本発明第１実施形態の洗車装置の制御構成を説明するブロック図である。
【図５】本発明第２実施形態の洗車装置の平面図である。
【図６】本発明第２実施形態の洗車装置の側面図である。
【図７】本発明第２実施形態の洗車装置の背面図である。
【図８】本発明第２実施形態の洗車装置の制御構成を説明するブロック図である。
【符号の説明】
１  敷地
２  自動車
１０  洗車装置
１１  収容部
１２  支持部
１３  透明パネル
１４  支持部
１５  移動手段
１６  取付け枠
１７  洗車ノズル
２０  洗車制御装置
２１  操作パネル
２２  記憶部
２３  洗車ノズル機構
３０  洗車装置
３１  支柱
３２  水平梁
３３  案内梁
３４  移動手段
３５  伸縮手段
３６  取付け枠
３７  洗車ノズル
３８  センサ
３９  支持部
４０  洗車制御装置
４１  操作パネル
４２  記憶部
４３  洗車ノズル機構
【図１】
2004249880.tif 000003
【図２】
2004249880.tif 000004
【図３】
2004249880.tif 000005
【図４】
2004249880.tif 000006
【図５】
2004249880.tif 000007
【図６】
2004249880.tif 000008
【図７】
2004249880.tif 000009
【図８】
2004249880.tif 000010